(57)【要約】【課題】金属管の端部にフックを引っかけることが可能な状態で該端部を保護することができる保護具およびその保護具を備えた金属管を提供する。【解決手段】保護具１０は、環状のフランジ部１２と、フランジ部１２の内縁部から一方向に向かって延びる筒状部１４と、筒状部１４の外周面から筒状部１４の軸方向に交差する方向に突出する環状のフィン１６と、筒状部１４の外周面から前記軸方向に交差する方向に突出し、かつ前記軸方向においてフィン１６とフランジ部１２との間に設けられるフィン１８とを備える。【選択図】  図５
2020159447.tif 000002
【特許請求の範囲】
【請求項１】
金属管の端部に装着される保護具であって、
中空かつ環状のフランジ部と、
前記フランジ部の内縁部から一方向に向かって延びる筒状部と、
前記筒状部の外周面から前記筒状部の軸方向に交差する方向に突出し、かつ前記軸方向において前記フランジ部から離隔して設けられる環状かつ板状の第１フィンと、
前記筒状部の外周面から前記軸方向に交差する方向に突出し、かつ前記軸方向において前記第１フィンおよび前記フランジ部から離隔するように前記第１フィンと前記フランジ部との間に設けられる環状かつ板状の第２フィンと、
を備えた保護具。
【請求項２】
前記筒状部の前記軸方向に直交する方向において、前記第１フィンおよび前記第２フィンの高さは、前記フランジ部の高さの１／２以上に設定される、請求項１に記載の保護具。
【請求項３】
前記筒状部の前記軸方向から見て、前記第１フィンに外接する円の直径および前記第２フィンに外接する円の直径は、前記金属管の内径よりも大きい、請求項１または２に記載の保護具。
【請求項４】
前記筒状部の前記軸方向において、前記筒状部の一端に前記フランジ部が設けられ、前記筒状部の中心よりも他端側に前記第１フィンが設けられる、請求項１から３のいずれかに記載の保護具。
【請求項５】
前記筒状部の前記外周面は、前記軸方向に垂直な断面において円形状を有し、
前記フランジ部と前記第１フィンとの前記軸方向における距離Ｈは、下記式（１）で規定される、請求項１から４のいずれかに記載の保護具。
Ｈ≧０．４４７Ａ  ・・・（１）
ただし、上記式（１）において、Ａは、前記筒状部の外径を示す。
【請求項６】
前記第１フィンは、前記軸方向に垂直な断面における外縁の周長が前記軸方向において前記フランジ部に近付くにつれて大きくなるテーパー形状を有している、請求項１から５のいずれかに記載の保護具。
【請求項７】
前記フランジ部は、前記軸方向における前記第１フィン側から見て環形状を有する保護面を備え、
前記保護面は、前記軸方向に垂直な断面における周長が前記軸方向において前記第１フィンに近付くにつれて大きくなるテーパー形状を有している、請求項１から６のいずれかに記載の保護具。
【請求項８】
前記フランジ部と前記第１フィンとの前記軸方向における距離は９０ｍｍ以上である、請求項１から７のいずれかに記載の保護具。
【請求項９】
前記筒状部の前記軸方向に直交する方向において、前記第１フィンの高さは、前記軸方向における前記第１フィンと前記第２フィンとの距離未満に設定される、請求項１から８のいずれかに記載の保護具。
【請求項１０】
金属管と、
前記金属管の端部に装着された請求項１から９のいずれかに記載の保護具と、
を備えた保護具付き金属管。
【請求項１１】
前記筒状部の前記外周面は、前記軸方向に垂直な断面において円形状を有し、
前記フランジ部と前記第１フィンとの前記軸方向における距離Ｈは、下記式（２）で規定される、請求項１０に記載の保護具付き金属管。
Ｈ≧（Ｄ２−（（Ａ＋Ｄ）／２）２）１／２  ・・・（２）
ただし、上記式（２）において、Ｄは、前記金属管の内径を示し、Ａは、前記筒状部の外径を示す。
【発明の詳細な説明】
【技術分野】
【０００１】
本発明は、金属管の端部を保護する保護具およびそれを備えた金属管に関する。
【背景技術】
【０００２】
ラインパイプ等において用いられる金属管を保管および搬送等する際には、金属管の端面を保護するために、金属管の端部に保護具が装着される場合がある。このような保護具としては、例えば特許文献１に開示されているように、筒状体および筒状体の一端に設けられた円板を有する保護具が利用されている。
【０００３】
特許文献１に開示された保護具では、筒状体の外径は、金属管の内径よりも小さく設定され、円板は、金属管の内径よりも大きく設定される。この保護具は、筒状体を金属管内に挿入しつつ金属管の端面を円板で覆うように金属管に装着される。これにより、金属管の端面を保護することができる。
【先行技術文献】
【特許文献】
【０００４】
【特許文献１】実開平７−２５３９５号公報
【発明の概要】
【発明が解決しようとする課題】
【０００５】
ところで、クレーン等によって金属管を搬送する際には、金属管の両端部にフックを引っかけて、金属管が吊り上げられる。金属管の両端部の損傷を防止する観点からは、上記のような保護具を金属管に装着した状態で、金属管を吊り上げることが好ましい。しかしながら、特許文献１の保護具を金属管の両端部に装着した場合、金属管の両端部が円板によって塞がれる。このため、金属管の両端部にフックを引っかけることができない。
【０００６】
そこで、本発明は、金属管の端部にフックを引っかけることが可能な状態で該端部を保護することができる保護具およびその保護具を備えた金属管を提供することを目的としている。
【課題を解決するための手段】
【０００７】
本発明は、下記の保護具および保護具付き金属管を要旨とする。
【０００８】
（１）金属管の端部に装着される保護具であって、
中空かつ環状のフランジ部と、
前記フランジ部の内縁部から一方向に向かって延びる筒状部と、
前記筒状部の外周面から前記筒状部の軸方向に交差する方向に突出し、かつ前記軸方向において前記フランジ部から離隔して設けられる環状かつ板状の第１フィンと、
前記筒状部の外周面から前記軸方向に交差する方向に突出し、かつ前記軸方向において前記第１フィンおよび前記フランジ部から離隔するように前記第１フィンと前記フランジ部との間に設けられる環状かつ板状の第２フィンと、
を備えた保護具。
【０００９】
（２）前記筒状部の前記軸方向に直交する方向において、前記第１フィンおよび前記第２フィンの高さは、前記フランジ部の高さの１／２以上に設定される、上記（１）に記載の保護具。
【００１０】
（３）前記筒状部の前記軸方向から見て、前記第１フィンに外接する円の直径および前記第２フィンに外接する円の直径は、前記金属管の内径よりも大きい、上記（１）または（２）に記載の保護具。
【００１１】
（４）前記筒状部の前記軸方向において、前記筒状部の一端に前記フランジ部が設けられ、前記筒状部の中心よりも他端側に前記第１フィンが設けられる、上記（１）から（３）のいずれかに記載の保護具。
【００１２】
（５）前記筒状部の前記外周面は、前記軸方向に垂直な断面において円形状を有し、
前記フランジ部と前記第１フィンとの前記軸方向における距離Ｈは、下記式（１）で規定される、上記（１）から（４）のいずれかに記載の保護具。
Ｈ≧０．４４７Ａ  ・・・（１）
ただし、上記式（１）において、Ａは、前記筒状部の外径を示す。
【００１３】
（６）前記第１フィンは、前記軸方向に垂直な断面における外縁の周長が前記軸方向において前記フランジ部に近付くにつれて大きくなるテーパー形状を有している、上記（１）から（５）のいずれかに記載の保護具。
【００１４】
（７）前記フランジ部は、前記軸方向における前記第１フィン側から見て環形状を有する保護面を備え、
前記保護面は、前記軸方向に垂直な断面における周長が前記軸方向において前記第１フィンに近付くにつれて大きくなるテーパー形状を有している、上記（１）から（６）のいずれかに記載の保護具。
【００１５】
（８）前記フランジ部と前記第１フィンとの前記軸方向における距離は９０ｍｍ以上である、上記（１）から（７）のいずれかに記載の保護具。
【００１６】
（９）前記筒状部の前記軸方向に直交する方向において、前記第１フィンの高さは、前記軸方向における前記第１フィンと前記第２フィンとの距離未満に設定される、上記（１）から（８）のいずれかに記載の保護具。
【００１７】
（１０）金属管と、
前記金属管の端部に装着された上記（１）から（９）のいずれかに記載の保護具と、
を備えた保護具付き金属管。
【００１８】
（１１）前記筒状部の前記外周面は、前記軸方向に垂直な断面において円形状を有し、
前記フランジ部と前記第１フィンとの前記軸方向における距離Ｈは、下記式（２）で規定される、上記（１０）に記載の保護具付き金属管。
Ｈ≧（Ｄ２−（（Ａ＋Ｄ）／２）２）１／２  ・・・（２）
ただし、上記式（２）において、Ｄは、前記金属管の内径を示し、Ａは、前記筒状部の外径を示す。
【発明の効果】
【００１９】
本発明によれば、金属管の端部にフックを引っかけることが可能な状態で該端部を保護することができる。
【図面の簡単な説明】
【００２０】
【図１】図１は、保護具の一例を示す図である。
【図２】図２は、図１に示した保護具の使用状態を示す図である。
【図３】図３は、保護具の変形例を示す図である。
【図４】図４は、保護具の他の変形例を示す図である。
【図５】図５は、本発明の一実施形態に係る保護具を示す斜視図である。
【図６】図６は、図５の保護具を軸方向における反対側から見た斜視図である。
【図７】図７は、図５のＩ−Ｉ部分を示す断面図である。
【図８】図８は、本発明の一実施形態に係る保護具付き金属管を示す図である。
【図９】図９は、本発明の一実施形態に係る保護具付き金属管を示す図である。
【図１０】図１０は、本発明の一実施形態に係る保護具付き金属管を示す図である。
【図１１】図１１は、本発明の他の実施形態に係る保護具を示す図である。
【図１２】図１２は、本発明のその他の実施形態に係る保護具を示す図である。
【図１３】図１３は、本発明のさらに他の実施形態に係る保護具を示す図である。
【図１４】図１４は、保護具の変形例を示す図である。
【発明を実施するための形態】
【００２１】
本発明者らは、金属管の端部にフックを引っかけることが可能な状態で該端部を保護することができる保護具の構成について種々の検討を行った。具体的には、本発明者らは、まず、特許文献１に開示された保護具の構成について詳細に検討した。
【００２２】
図１は、特許文献１に開示された保護具と同様の構成を有する保護具を示す図である。具体的には、図１（ａ）は、保護具の正面図であり、図１（ｂ）は、図１（ａ）のｂ−ｂ部分を示す断面図である。
【００２３】
図１に示す保護具１００は、筒状体１０２と、筒状体１０２の一端に設けられた円板１０４と、筒状体１０２の外周面に設けられた４つの係止部材１０６とを備えている。図２は、図１に示した保護具１００の使用状態を示す図である。
【００２４】
図２に示すように、保護具１００を金属管１の端部に装着する場合、係止部材１０６が金属管１の内面１ａに沿って湾曲する。このように係止部材１０６が金属管１の内面１ａに沿って湾曲しつつ内面１ａに押し付けられることによって、金属管１から保護具１００が抜け落ちることを抑制することができる。また、係止部材１０６が金属管１の内面１ａに沿って湾曲することができるので、異なる内径を有する種々の金属管１に保護具１００を装着することが可能になる。
【００２５】
保護具による上記のような効果を発揮しつつ、金属管１の端部にフックを引っかけることを可能にするために、本発明者らは、上述の保護具１００を改良した。具体的には、図３に示す保護具１００ａを金属管１に装着することを検討した。なお、図３に示す保護具１００ａが図１および図２に示した保護具１００と異なるのは、円板１０４の代わりに、中空円板状のフランジ部１０４ａを有している点である。
【００２６】
図３に示すように、保護具１００ａを利用した場合には、筒状体１０２内にフック２００を差し込むことができる。これにより、金属管１の端部の損傷を防止しつつ、フック２００によって金属管１を吊り上げることが可能になる。
【００２７】
しかしながら、本発明者らのさらなる検討の結果、上述の保護具１００ａを利用する場合には、以下のような問題が生じることが分かった。
【００２８】
図１を参照して、上述の保護具１００ａでは、複数の係止部材１０６は、筒状体１０２の周方向において互いに離隔して設けられている。このため、筒状体１０２のうち、点線で示す４つの領域１０２ａの外面には係止部材１０６が設けられていない。この点に関して、図３に示すように、金属管１を吊り上げる際に、筒状体１０２のうち係止部材１０６が設けられている領域の内面にフック２００が引っかけられる場合には、係止部材１０６が十分な力で金属管１の内面１ａに押し付けられる。この場合、金属管１の内面１ａと係止部材１０６との間に摩擦力を生じさせることができる。これにより、金属管１から保護具１００ａが抜け落ちることを抑制できる。
【００２９】
一方で、筒状体１０２のうち、金属管１を吊り上げる際に、係止部材１０６が設けられていない領域１０２ａ（図１参照）の内面にフック２００が引っかけられると、係止部材１０６を十分な力で金属管１の内面１ａに押し付けることができない。この場合、金属管１の内面１ａと係止部材１０６との間に十分な摩擦力を生じさせることができない。このため、金属管１から保護具１００ａが抜け落ちることを十分に抑制できない場合がある。
【００３０】
そこで、本発明者らは、上述の保護具１００ａをさらに改良した。具体的には、図４に示す保護具１００ｂを金属管１（図３参照）に装着することを検討した。なお、図４は、保護具１００ｂの正面図である。また、図４に示す保護具１００ｂが図３に示した保護具１００ａと異なるのは、４つの係止部材１０６の代わりに、筒状体１０２の全周を覆うように設けられた中空円板状の係止部材１０６ａを有している点である。
【００３１】
保護具１００ｂを利用する場合には、フック２００（図３参照）によって金属管１（図３参照）を吊り上げる際に、フック２００の差し込み位置（筒状体１０２の周方向における位置）に関わらず、金属管１の内面１ａに係止部材１０６ａを押し付けることができる。すなわち、フック２００の差し込み位置に関わらず、金属管１の内面１ａと係止部材１０６ａとの間に摩擦力を生じさせることができる。しかしながら、本発明者らがさらに検討を進めたところ、保護具１００ｂを利用して金属管１を吊り上げたとしても、金属管１から保護具１００ｂが抜け落ちる場合があることが分かった。また、保護具１００ｂを取り付けた状態で金属管１を搬送する際にも、保護具１００ｂが抜け落ちる場合があることが分かった。
【００３２】
本発明は、本発明者らの詳細な検討によって得られた上記の知見に基づいてなされたものである。以下、本発明の実施の形態に係る保護具およびそれを備えた金属管について図面を用いて説明する。
【００３３】
（保護具の構成）
図５および図６は、本発明の一実施形態に係る保護具を示す斜視図であり、図７は、図５のＩ−Ｉ部分を示す断面図である。また、図８〜図１０は、図５に示す保護具が取り付けられた状態の金属管を示す図である。なお、図６は、図５の保護具１０を、軸方向における反対側から見た斜視図である。また、図８〜図１０では、金属管の軸方向から見て金属管および保護具を二等分割して得られる金属管および保護具の断面を示している。
【００３４】
図５〜図７に示すように、本実施形態に係る保護具１０は、中空かつ環状のフランジ部１２と、フランジ部１２の内縁部から一方向に向かって延びる筒状部１４と、筒状部１４の外周面から突出する複数の環状かつ板状のフィン１６，１８と、円板状の底部２０とを備えている。なお、本実施形態では、フィン１６が第１フィンに対応し、フィン１８が第２フィンに対応する。また、図７においては、筒状部１４の軸方向を一点鎖線の矢印で示している。
【００３５】
本実施形態では、フランジ部１２、フィン１６、およびフィン１８はそれぞれ、円環形状を有している。また、フランジ部１２、フィン１６およびフィン１８は、筒状部１４の軸方向において互いに離隔して設けられている。フランジ部１２の外径は、金属管１（図８参照）の内径よりも大きい。フランジ部１２は、筒状部１４の軸方向においてフィン１６側から見て環形状を有する保護面１２ａを備えている。筒状部１４の外周面は、筒状部１４の軸方向に垂直な断面において円形状を有する。本実施形態では、筒状部１４は、円筒形状を有している。
【００３６】
フランジ部１２は、筒状部１４の軸方向において、筒状部１４の一端に設けられている。筒状部１４の一端は、フック２００（図９参照）を挿入できるように開口している。フィン１６は、筒状部１４の軸方向において、筒状部１４の中心よりも他端側に設けられている。フィン１８は、筒状部１４の軸方向において、フランジ部１２とフィン１６との間に設けられている。本実施形態では、フィン１８は、例えば、筒状部１４の軸方向において、フランジ部１２とフィン１６との中点上に設けられる。底部２０は、筒状部１４の軸方向において、筒状部１４の他端側を塞ぐように設けられている。本実施形態では、底部２０の中央部に、貫通孔２０ａが形成されている。詳細な説明は省略するが、貫通孔２０ａはベントホールとして機能する。また、作業者は、貫通孔２０ａに指または治具を差し込むことによって、保護具１０を金属管１から容易に取り外すことができる。なお、底部２０に２つ以上の貫通孔が形成されてもよい。
【００３７】
本実施形態では、筒状部１４は、軸方向における一端から他端に亘って連続した筒形状を有している。フィン１６およびフィン１８はそれぞれ、筒状部１４の外周面から、筒状部１４の軸方向に交差する方向に突出するように設けられている。本実施形態では、フィン１６およびフィン１８はそれぞれ、筒状部１４の外周面から筒状部１４の径方向に突出している。
【００３８】
筒状部１４の軸方向から見て、フィン１６に外接する円の直径およびフィン１８に外接する円の直径はそれぞれ、金属管１の内径よりも大きい。本実施形態では、フィン１６，１８は円環形状を有しているので、フィン１６，１８の外径は金属管１の内径よりも大きい。これにより、金属管１に保護具１０を装着した際に、フィン１６，１８を金属管１の内面１ａに適切に接触させることができる。
【００３９】
本実施形態では、筒状部１４の軸方向に直交する方向において、フィン１６およびフィン１８の高さは、例えば、フランジ部１２の高さの１／２以上に設定される。また、本実施形態では、フィン１６の高さは、例えば、筒状部１４の軸方向におけるフィン１６とフィン１８との距離未満に設定される。また、フィン１８の高さは、例えば、筒状部１４の軸方向におけるフィン１８とフランジ部１２との距離未満に設定される。なお、本実施形態において、フィンの高さとは、筒状部の軸方向に直交する方向において、筒状部の外周面からフィンの外縁までの距離を意味する。また、フランジ部の高さとは、筒状部の軸方向に直交する方向において、筒状部の外周面からフランジ部の外縁までの距離を意味する。
【００４０】
なお、本実施形態では、フィン１６およびフィン１８の高さは、下記式（３），（４）を満たすことが好ましい。
ｆ≧（Ｄ−Ａ＋β）／２  ・・・（３）
２≦β≦５  ・・・（４）
ただし、上記式において、ｆは、フィンの高さを示し、Ｄは、保護具が装着される金属管の内径を示し、Ａは、筒状部の外径を示す。
【００４１】
本実施形態では、保護具１０は、ポリエチレン等の樹脂材料によって形成される。また、フィン１６およびフィン１８の厚みはそれぞれ、フィン１６およびフィン１８がそれぞれ可撓性を有するように設定される。具体的には、フィン１６およびフィン１８の厚みは、例えば、１〜４ｍｍ程度に設定される。なお、フランジ部１２の厚みは、例えば、１〜１５ｍｍ程度に設定され、筒状部１４の厚みは、例えば、１〜５ｍｍ程度に設定される。
【００４２】
図８に示すように、筒状部１４を金属管１内に挿入しつつ、フランジ部１２の保護面１２ａによって金属管１の端面を覆うように、保護具１０が金属管１の両端部にそれぞれ装着される。これにより、金属管１の両端面が保護される。フィン１６およびフィン１８はそれぞれ、保護具１０が金属管１に装着された際に、湾曲しつつ内面１ａに押し付けられる。この際、筒状部１４の軸方向に直交する方向において、金属管１の内面１ａと筒状部１４の外周面との距離は、下記式（５）で示される。
Ｔ＝（Ｄ−Ａ）／２  ・・・（５）
ただし、上記式において、Ｔは、金属管の内面と筒状部の外周面との距離を示し、Ｄは、金属管の内径を示し、Ａは、筒状部の外径を示す。
【００４３】
図９に示すように、両端部に保護具１０が装着された金属管１をクレーン等によって吊り上げる際には、筒状部１４内にフック２００が差し込まれる。その状態で、フック２００を引き上げることによって、金属管１が吊り上げられる。このとき、フィン１６およびフィン１８のうち、フック２００によって金属管１の内面１ａに押し付けられる部分は押し潰されるように変形するが、内面１ａから離れる部分の形状は一時的に維持される。
【００４４】
図１０は、保護具１０からフック２００を取り外した際に生じる現象を説明するための図である。図９に示したように、保護具１０にフック２００を引っかけて金属管１を吊り上げている際には、フィン１６およびフィン１８のうちの一部は、押し潰されるように変形する。このようにフィン１６およびフィン１８が変形した状態で、保護具１０からフック２００を取り外すと、図１０に示すように、金属管１に対して保護具１０が傾く場合がある。
【００４５】
図１０に示した例では、筒状部１４の外周面のうちフランジ部１２の近傍の部分が金属管１に接触するとともに、フィン１６の外周面が金属管１に接触することによって、保護具１０が金属管１から抜け落ちることが防止されている。なお、図１０においては、筒状部１４のうち金属管１に接触している部分を示す位置Ｐ１と、フィン１６のうち金属管１に接触している部分を示す位置Ｐ２との距離Ｘが示されている。
【００４６】
保護具１０が傾斜した場合でも、位置Ｐ１とフランジ部１２との隙間は十分に小さいこと、およびフック２００が取り外された後もフィン１６の形状がしばらく維持されることを考慮すると、位置Ｐ１と位置Ｐ２との距離Ｘは、図８に示す位置Ｐ３と位置Ｐ４との距離Ｙに略等しいと考えることができる。なお、位置Ｐ３は、筒状部１４の軸方向から見て金属管１および保護具１０を二等分割して得られる断面において、保護面１２ａと筒状部１４の外周面との一対の境界部のうちの一方の境界部の位置を示す。位置Ｐ４は、上記断面において、後述する位置Ｐ５を通りかつ筒状部１４の軸方向に直交する方向に延びる仮想的な直線Ｌと金属管１の内面１ａとの一対の交点のうち、位置Ｐ３から遠い方の交点の位置を示す。位置Ｐ５は、上記断面において、フィン１６のフランジ部１２側の面と筒状部１４の外周面との境界部の位置を示す。なお、図８には、筒状部１４の軸方向における位置Ｐ３と位置Ｐ５との距離Ｈが示されている。距離Ｈは、筒状部１４の軸方向におけるフランジ部１２とフィン１６との距離に相当する。
【００４７】
本実施形態では、距離Ｙが金属管１の内径Ｄ以上に設定される。これにより、図１０に示すように、保護具１０が金属管１に対して傾斜した場合でも、筒状部１４が金属管１に接触するとともに、フィン１６が金属管１に接触することによって、保護具１０が金属管１から抜け落ちることが防止される。
【００４８】
なお、図８を参照して、三平方の定理より、距離Ｙは、筒状部１４の外径Ａおよび上述の距離Ｔ，Ｈを用いて下記式（６）によって示すことができる。
Ｙ＝（Ｈ２＋（Ａ＋Ｔ）２）１／２  ・・・（６）
【００４９】
距離Ｔは上記式（５）によって示されるので、上記式（６）は、下記式（７）のように変形できる。
Ｙ＝（Ｈ２＋（（Ａ＋Ｄ）／２）２）１／２  ・・・（７）
【００５０】
上述したように、本実施形態では、距離Ｙは、金属管１の内径Ｄ以上に設定される。したがって、上記式（７）は、下記式（８）のように変形できる。
Ｄ≦（Ｈ２＋（（Ａ＋Ｄ）／２）２）１／２  ・・・（８）
【００５１】
上記式（８）を変形することによって、距離Ｈは、下記式（２）で示すことができる。
Ｈ≧（Ｄ２−（（Ａ＋Ｄ）／２）２）１／２  ・・・（２）
【００５２】
なお、本実施形態では、保護具１０の筒状部１４の外径Ａは、例えば、金属管１の内径Ｄの０．８５倍以上かつ内径Ｄ未満に設定される。この点を考慮すると、上記式（２）は、下記式（１）のように変形することができる。
Ｈ≧０．４４７Ａ  ・・・（１）
【００５３】
なお、上記距離Ｈは、９０ｍｍ以上に設定されることが好ましい。この場合、種々の内径の金属管１において、保護具１０が抜け落ちることを十分に抑制することができる。また、筒状部１４の軸方向において、筒状部１４の他端（フランジ部１２の反対側の端部）とフィン１６との距離は、１０ｍｍ以下に設定されることが好ましい。この場合、フック２００によって金属管１を吊り上げる際に、金属管１内において、保護具１０が金属管１に対して傾くことを十分に抑制できる。その結果、保護具１０を金属管１により安定して装着することができる。なお、金属管１から保護具１０が抜け落ちることを確実に防止する観点からは、筒状部１４の軸方向の長さを十分に長くすることが好ましい。この場合には、筒状部１４の他端（フランジ部１２の反対側の端部）とフィン１６との距離は、例えば、１０ｍｍ以上に設定される。
【００５４】
（本実施形態の効果）
本実施形態に係る保護具１０を金属管１に装着した場合、上述のように、フランジ部１２の内側から筒状部１４内にフック２００を挿入することができるので、金属管１の端部にフック２００を引っかけることが可能な状態で該端部を保護することができる。
【００５５】
また、本実施形態に係る保護具１０では、フィン１６およびフィン１８がそれぞれ、筒状部１４の全周に亘って設けられている。この場合、フック２００によって金属管１を吊り上げる際に、フック２００の差し込み位置（筒状部１４の周方向における位置）に関わらず、金属管１の内面１ａにフィン１６およびフィン１８を適切に押し付けることができる。さらに、本実施形態では、２つのフィン１６，１８を同時に金属管１の内面１ａに接触させることができる。これにより、金属管１とフィン１６，１８との間に十分な摩擦力を発生させることができる。その結果、フック２００によって金属管１を吊り上げる際に、金属管１から保護具１０が抜け落ちることを十分に抑制することができる。また、保護具１０を取り付けた状態で金属管１を搬送する際にも、金属管１から保護具１０が抜け落ちることを十分に抑制することができる。
【００５６】
また、本実施形態では、筒状部１４の軸方向において、筒状部１４の中心よりも他端側（フランジ部１２の反対側）にフィン１６が設けられ、さらに、フランジ部１２とフィン１６との間にフィン１８が設けられている。これにより、フック２００によって金属管１を吊り上げる際に、金属管１内において、保護具１０が金属管１に対して傾くことを十分に抑制できる。その結果、保護具１０を金属管１により安定して装着することができる。
【００５７】
また、本実施形態では、フィン１６，１８の高さは、フランジ部１２の高さの１／２以上に設定される。これにより、金属管１に保護具１０を取り付けた際に、金属管１の内面１ａとフィン１６，１８との接触面積を十分に確保することができる。また、本実施形態では、フィン１６の高さは、筒状部１４の軸方向におけるフィン１６とフィン１８との距離未満に設定される。これにより、金属管１に保護具１０を取り付ける際に、フィン１６の先端部がフィン１８と重なることを防止することができる。その結果、保護具１０を金属管１に円滑に挿入することができるとともに、フィン１８を金属管１の内面１ａに適切に接触させることができる。また、本実施形態では、フィン１８の高さは、筒状部１４の軸方向におけるフィン１８とフランジ部１２との距離未満に設定される。これにより、金属管１に保護具１０を取り付ける際に、フィン１８の先端部がフランジ部１２に接触して変形することを防止することができる。これにより、保護具１０を金属管１に円滑に挿入することができるとともに、フィン１８を金属管１の内面１ａに適切に接触させることができる。
【００５８】
（他の実施形態）
上述の実施形態では、２つのフィン１６，１８を備える保護具１０について説明したが、フィンの数は２つに限定されない。例えば、図１１に示す保護具１０ａのように、３つのフィンが設けられてもよい。なお、図１１の保護具１０ａにおいては、筒状部１４の軸方向においてフィン１８とフランジ部１２との間に、３つ目のフィン２２が設けられている。なお、保護具が３つ以上のフィンを有する場合には、筒状部の軸方向において、フランジ部から最も離れた位置のフィンを第１フィンとし、筒状部の軸方向において第１フィンに隣り合うフィンを第２フィンとする。したがって、保護具１０ａにおいても、フィン１６が第１フィンに対応し、フィン１８が第２フィンに対応する。保護具が３つ以上のフィンを有する場合も、各フィンの高さは、フランジ部の高さの１／２以上に設定されることが好ましい。また、第１フィンの高さは、筒状部の軸方向における第１フィンと第２フィンとの距離未満に設定されることが好ましい。
【００５９】
上述の実施形態では、各フィンは、筒状部１４の軸方向に直交する方向に平行に延びるように設けられているが、フィンの形状は上述の例に限定されない。例えば、図１２に示す保護具１０ｂのように、複数のフィン１６，１８のうち、フランジ部１２から最も離れた位置のフィン１６がテーパー形状を有していてもよい。具体的には、保護具１０ｂにおいては、フィン１６は、筒状部１４の軸方向に垂直な断面における外縁の周長が、筒状部１４の軸方向においてフランジ部１２に近付くにつれて大きくなるように、テーパー形状を有している。このようにフィン１６がテーパー形状を有していることによって、筒状部１４を金属管１内に差し込みやすくなる。
【００６０】
上述の実施形態では、フランジ部１２の保護面１２ａは、筒状部１４の軸方向に直交する方向に平行に延びるように設けられているが、フランジ部の形状は上述の例に限定されない。例えば、図１３に示す保護具１０ｃのように、フランジ部１２の保護面１２ａがテーパー形状を有していてもよい。具体的には、保護具１０ｃにおいては、保護面１２ａは、筒状部１４の軸方向に垂直な断面における周長が、筒状部１４の軸方向においてフィン１６に近付くにつれて大きくなるように、テーパー形状を有している。このように保護面１２ａがテーパー形状を有していることによって、金属管１の端面１ｂがベベル加工されている場合でも、保護面１２ａによって端面１ｂを適切に保護することができる。
【００６１】
なお、詳細な説明は省略するが、本発明に係る保護具では、各フィンが、筒状部の全周亘って設けられていればよい。したがって、例えば、図１４に示す保護具１０ｄのように、フィン１６が周方向において複数の部分に分割されていてもよい。同様に、フィン１８が周方向において複数の部分に分割されていてもよい。図示は省略するが、フィン２２（図１１参照）についても同様である。
【００６２】
また、上述の実施形態では、フランジ部１２から一方向に延びるように筒状部１４が設けられているが、フランジ部１２から筒状部１４とは反対方向に延びるように他の筒状部がさらに設けられてもよい。また、上述の実施形態では、筒状部１４において、フランジ部１２とは反対側の端部に底部２０が設けられているが、保護具が底部を有していなくてもよい。また、上述の実施形態では、各フィンの高さは略等しいが、各フィンの高さが互いに異なっていてもよい。
【産業上の利用可能性】
【００６３】
本発明によれば、金属管の端部にフックを引っかけることが可能な状態で該端部を保護することができる。
【符号の説明】
【００６４】
１  金属管
１ａ  内面
１ｂ  端面
１０，１０ａ，１０ｂ，１０ｃ，１０ｄ  保護具
１２  フランジ部
１２ａ  保護面
１４  筒状部
１６，１８，２２  フィン
２０  底部
２０ａ  貫通孔
１００，１００ａ，１００ｂ  保護具
１０２  筒状体
１０４  円板
１０４ａ  フランジ部
１０６，１０６ａ  係止部材
２００  フック
【図１】
2020159447.tif 000003
【図２】
2020159447.tif 000004
【図３】
2020159447.tif 000005
【図４】
2020159447.tif 000006
【図５】
2020159447.tif 000007
【図６】
2020159447.tif 000008
【図７】
2020159447.tif 000009
【図８】
2020159447.tif 000010
【図９】
2020159447.tif 000011
【図１０】
2020159447.tif 000012
【図１１】
2020159447.tif 000013
【図１２】
2020159447.tif 000014
【図１３】
2020159447.tif 000015
【図１４】
2020159447.tif 000016